(57)【特許請求の範囲】
【請求項１】
各種のディスクを再生して音声データおよび画像データをそれぞれ音声信号処理部および映像伸長部に出力するとともに、ＤＳＤ方式の音声データをアナログ音声信号に変換することが可能な他の音声信号処理部を内部に備えてＳＡＣＤの再生も可能な再生手段と、  ユーザの手動操作による指令を入力する入力部と、
前記入力部からの指令入力に基づき装置全体を制御する制御手段と、
前記制御手段の制御を受けて表示装置に文字情報を表示する表示制御手段とを備え、
前記制御手段は、
ディスクが装置の再生位置にローディングされたときに、前記再生手段を制御してディスクからディスク情報を読み取らせる第１の制御機能と、
前記第１の制御機能により得られたディスク情報に基づき再生位置のディスクがＳＡＣＤであるか否かを判別する第２の制御機能と、
前記第２の制御機能においてＳＡＣＤであると判別した場合に限りＳＡＣＤの最外周側に設けられたデータエリアである拡張用データエリアに画像データが記録されているか否かを判別する第３の制御機能と、
前記第３の制御機能において画像データが記録されていると判別したときに、前記再生手段を制御して画像データを読み出させる第４の制御機能と、
前記第４の制御機能が読み出させた画像データを背景用画像として、前記第１の制御機能が読み取らせたディスク情報に含まれるジャンル情報に基づいてＳＡＣＤに記録された各曲とこれらのジャンルおよび記憶されているトラック番号とを対応つけて前記表示装置に自動的に表示させるよう前記表示制御手段を制御する第５の制御機能と、
前記第５の制御機能により前記表示装置に表示されているトラック番号のうちの一つを選択する指令が前記入力部から入力したときに、指令されたトラック番号をハイライト表示させる第６の制御機能と、
前記入力部から再生の指令が入力したときに、前記第６の制御機能によりハイライト表示されているトラック番号の曲から再生を開始するよう前記再生手段を制御する第７の制御機能とを有していることを特徴とするディスク再生装置。
【請求項２】
前記第５の制御機能が、前記表示装置の画面角部にＳＡＣＤを文字表示させ、且つ各曲に対応付けて各々の曲の長さを表示するよう前記表示制御部を制御することを特徴とする請求項１記載のディスク再生装置。
【請求項３】
前記第３の制御機能において画像データが記録されていないと判別したときに、前記第５の制御機能が、背景用画像を表示することなく、ＳＡＣＤに記録された各曲とこれらのジャンルおよび記憶されているトラック番号とを対応付けて前記表示装置に表示するよう前記表示制御部を制御する請求項１または２記載のディスク装置。
【発明の詳細な説明】
【技術分野】
【０００１】
本発明は、ＳＡＣＤ（スーパーオーディオＣＤ）に記録された曲のジャンルを表示装置に表示するディスク再生装置に係り、より詳細には、ＳＡＣＤを再生位置に収納すると自動でジャンルの表示を行うディスク再生装置に関するものである。
【背景技術】
【０００２】
高音質の音声信号の記録を可能にするメディアの１つに、ＤＳＤ（Ｄｉｒｅｃｔ  Ｓｔｒｅａｍ  Ｄｅｇｉｔａｌ）方式で音声信号を記録するＳＡＣＤがあることから、ＤＶＤやＣＤの再生が可能であるとともに、ＳＡＣＤの再生をも可能とするディスク再生装置が提案されている。このような構成のディスク再生装置の場合では、テレビ受像機等の表示装置を用いて、各種の情報を表示することが可能なため、ＳＡＣＤをトレイに載置し、トレイを収納位置に引き込ませたときには、表示装置に『ＳＡＣＤ』の文字を表示することによって、再生されるディスクがＳＡＣＤであることを示している（第１の従来技術とする）。
【０００３】
また、以下に示す技術が提案されている（第２の従来技術とする）。すなわち、この技術においては、ＣＤチェンジャとシステム制御部とが設けられている。そして、ＣＤチェンジャには、検索用キーワードが記録されたＣＤが格納されるようになっており、検索用キーワードには、記録された楽曲のジャンルを示すジャンルコードが含まれている。このため、システム制御部の操作パネルに設けられたメニューキーを操作することによってメニューの一覧を表示した後、ジャンルの一覧を表示させるメニューを選択すると、操作パネルに設けられた表示器にジャンルの一覧が表示される。そして、表示器に表示されたジャンルの一覧から所望のジャンルを選択すると、ＣＤチェンジャに格納されたＣＤのうち、選択されたジャンルに属するＣＤの全てのＣＤタイトルが表示される。このため、表示されたＣＤタイトルから、カーソルを用いて所望のＣＤタイトルを選択すると、選択されたＣＤタイトルに対応するＣＤの再生が開始されるようになっている。なお、ジャンルの一覧の表示については、検索用キーワードに含まれるジャンルコードを用いる構成に限定されることなく、ユーザ自身が入力したジャンルを示す情報を用いる構成、あるいは、検索用キーワード以外の領域に含まれている識別情報を用いる構成も可能であることが、併せて開示されている（例えば、特許文献１参照）。
【０００４】
また、以下に示す技術が提案されている（第３の従来技術とする）。すなわち、この技術では、データを記録可能なディスクに、ＭＰ３の方式を用いて、例えば、１５０曲、等の多数の曲が記録可能とされている。また、不揮発性メモリが設けられており、ディスクに記録された曲のそれぞれに対応付けて、ジャンルや記録日、および、記録時刻を記憶させるようになっている。そして、再生となるときには、不揮発性メモリを参照することによって、ディスク内にある全ジャンルと各ジャンルに属する曲数とを一覧表示している。そして、表示されたジャンルのうちの１つを指定すると、該当するジャンルに含まれる曲が選択されて再生される（例えば、特許文献２参照）。
【特許文献１】特開平１１−２６５５６６号公報（第００２２−００２４段落、図２）
【特許文献２】特開２００２−１００１６１号公報
【発明の開示】
【発明が解決しようとする課題】
【０００５】
しかしながら第１の従来技術を用いる場合には、以下に示す問題を生じていた。すなわち、ＳＡＣＤを再生しようとしてＳＡＣＤをトレイに載置した場合、表示装置に表示される内容は、『ＳＡＣＤ』の文字のみとなっていて、その他の情報については表示されない。つまり、再生しようとするＳＡＣＤに関して、表示される内容が極めて貧相となっている。このため、再生しようとしてＳＡＣＤをトレイに載置したときには、トレイに載置したＳＡＣＤが、どのようなジャンルの曲が記録されたＳＡＣＤであるのかを示す表示機能が求められていた。
【０００６】
第２の従来技術は、ジャンル情報が含まれた検索用キーワードが記録されたＣＤを用いる場合に、選択が可能となるジャンルの一覧が表示されるとともに、一覧からジャンルを選択したときには、選択されたジャンルに属するＣＤのタイトルが表示される技術となっている。すなわち、ＣＤをセットしたとき、セットされたＣＤが、どのようなジャンルの曲が記録されたＣＤであるのかを表示する構成とはなっていない。このため、第１の従来技術において生じた問題、すなわち、再生しようとしてＳＡＣＤをトレイに載置したときに、トレイに載置したＳＡＣＤが、どのようなジャンルの曲が記録されたＳＡＣＤであるのかを示す表示を求める場合には、適用することが困難な技術となっていた。
【０００７】
第３の従来技術は、ディスクに曲を記録するときに、ユーザが、不揮発性メモリにジャンルを記憶させることを前提とした技術となっている。このため、第１の従来技術において生じた問題、すなわち、再生しようとしてＳＡＣＤをトレイに載置したときに、トレイに載置したＳＡＣＤが、どのようなジャンルの曲が記録されたＳＡＣＤであるのかを示す表示を求める場合には、適用することが困難な技術となっていた。
【０００８】
本発明は、上記の問題点を解決するため創案されたものであり、その目的は、ＳＡＣＤを再生位置に収納する操作を行うのみで、ＳＡＣＤに記録された曲のジャンルを知らせることのでき、且つ、好みの曲を選択して再生させるための操作を容易にすることのでき、且つ、ＳＡＣＤに関する情報の表示画面を華やかなものとすることのできるディスク再生装置を提供することにある。
【０００９】
また本発明の目的は、ディスクの再生を行う再生手段がＳＡＣＤから読み取ったディスク情報を出力したときには、ディスク情報に含まれるジャンル情報に基づき、自動で、ＳＡＣＤに記録された曲のジャンルを表示することにより、ＳＡＣＤを再生位置に収納する操作を行うのみで、ＳＡＣＤに記録された曲のジャンルを知らせることのできるディスク再生装置を提供することにある。
【００１０】
また、上記目的に加え、曲のそれぞれ毎のジャンルをトラック番号に対応付けて表示するとともに、選択されたトラック番号をハイライト表示し、再生の指示が入力されたときには、ハイライト表示されたトラックから再生を開始することにより、好みの曲を選択して再生させるための操作を容易にすることのできるディスク再生装置を提供することにある。
【課題を解決するための手段】
【００１１】
上記の課題を解決するため、本発明に係るディスク再生装置は、各種のディスクを再生して音声データおよび画像データをそれぞれ音声信号処理部および映像伸長部に出力するとともに、ＤＳＤ方式の音声データをアナログ音声信号に変換することが可能な他の音声信号処理部を内部に備えてＳＡＣＤの再生も可能な再生手段と、ユーザの手動操作による指令を入力する入力部と、前記入力部からの指令入力に基づき装置全体を制御する制御手段と、前記制御手段の制御を受けて表示装置に文字情報を表示する表示制御手段とを備え、前記制御手段は、ディスクが装置の再生位置にローディングされたときに、前記再生手段を制御してディスクからディスク情報を読み取らせる第１の制御機能と、前記第１の制御機能により得られたディスク情報に基づき再生位置のディスクがＳＡＣＤであるか否かを判別する第２の制御機能と、前記第２の制御機能においてＳＡＣＤであると判別した場合に限りＳＡＣＤの最外周側に設けられたデータエリアである拡張用データエリアに画像データが記録されているか否かを判別する第３の制御機能と、前記第３の制御機能において画像データが記録されていると判別したときに、前記再生手段を制御して画像データを読み出させる第４の制御機能と、前記第４の制御機能が読み出させた画像データを背景用画像として、前記第１の制御機能が読み取らせたディスク情報に含まれるジャンル情報に基づいてＳＡＣＤに記録された各曲とこれらのジャンルおよび記憶されているトラック番号とを対応つけて前記表示装置に自動的に表示させるよう前記表示制御手段を制御する第５の制御機能と、前記第５の制御機能により前記表示装置に表示されているトラック番号のうちの一つを選択する指令が前記入力部から入力したときに、指令されたトラック番号をハイライト表示させる第６の制御機能と、前記入力部から再生の指令が入力したときに、前記第６の制御機能によりハイライト表示されているトラック番号の曲から再生を開始するよう前記再生手段を制御する第７の制御機能とを有している。
【００１２】
すなわち、ジャンル表示手段は、再生手段がＳＡＣＤから読み取ったディスク情報を出力したとき、自動で、ジャンルを表示する。一方、再生手段は、ＳＡＣＤが再生位置に収納されたときに、ＳＡＣＤからディスク情報を読み取って出力する。従って、ＳＡＣＤが再生位置に収納されたときには、ジャンル表示のための操作を入力しなくても、ＳＡＣＤに記録された曲のジャンルが、表示装置に自動で表示される。且つ、曲のそれぞれについてのジャンルが表示されるので、再生させたい曲の選択が容易となる。そして、ジャンルを参照して曲を選択した後では、再生の指示を入力するのみで、選択した曲の再生が開始される。且つ、ジャンルを示す情報は、画像データにより示される画像を背景として表示される。
【００１３】
また、本発明において、前記第５の制御機能が、前記表示装置の画面角部にＳＡＣＤを文字表示させ、且つ各曲に対応付けて各々の曲の長さを表示するよう前記表示制御部を制御することが好ましい。
【００１４】
これにより、再生位置にローディングされたディスクがＳＡＣＤであることと、各曲の長さとををユーザに明確に知らせることができる。
【００１５】
本発明において、前記第３の制御機能において画像データが記録されていないと判別したときに、前記第５の制御機能が、背景用画像を表示することなく、ＳＡＣＤに記録された各曲とこれらのジャンルおよび記憶されているトラック番号とを対応つけて前記表示装置に表示するよう前記表示制御部を制御することもできる。
【００１６】
これにより、ＳＡＣＤの拡張用データエリアに画像データが記録されていない場合であっても、ＳＡＣＤに記録された各曲とこれらのジャンルおよび記憶されているトラック番号とを対応付けて表示装置に支障無く表示することができる。
【発明の効果】
【００１７】
本発明によれば、ジャンル表示手段は、再生手段がＳＡＣＤから読み取ったディスク情報を出力したとき、自動で、ジャンルを表示する。一方、再生手段は、ＳＡＣＤが再生位置に収納されたときに、ＳＡＣＤからディスク情報を読み取って出力する。従って、ＳＡＣＤが再生位置に収納されたときには、ジャンル表示のための操作を入力しなくても、ＳＡＣＤに記録された曲のジャンルが表示装置に表示される。且つ、曲のそれぞれについてのジャンルが表示されるので、再生させたい曲の選択が容易となる。そして、ジャンルを参照して曲を選択した後では、再生の指示を入力するのみで、選択した曲の再生が開始される。且つ、ジャンルを示す情報は、画像データにより示される画像を背景として表示される。このため、ＳＡＣＤを再生位置に収納する操作を行うのみで、ＳＡＣＤに記録された曲のジャンルを知らせることができ、且つ、好みの曲を選択して再生させるための操作を容易にすることができ、且つ、ＳＡＣＤに関する情報の表示画面を華やかなものとすることができる。
【００１８】
また、本発明によれば、再生位置にローディングされたディスクがＳＡＣＤであることと、各曲の長さとををユーザに明確に知らせることもできる。
【００１９】
さらに、本発明によれば、ＳＡＣＤの拡張用データエリアに画像データが記録されていない場合であっても、ＳＡＣＤに記録された各曲とこれらのジャンルおよび記憶されているトラック番号とを対応付けて表示装置に支障無く表示することができる。
【発明を実施するための最良の形態】
【００２０】
以下、本発明の実施の形態について図を参照して説明する。
【００２１】
図２は、ＳＡＣＤの記録エリアを示す説明図である。
【００２２】
図において、ＳＡＣＤ（スーパーオーディオＣＤ）１１は、大別すると、内周側から外周側に向かって６つのエリア１１１〜１１６に分割されている。そして、音声信号が記録されるエリア（２ｃｈ  Ｓｔｅｒｅｏ  Ａｒｅａ）１１４の内周側に設けられたエリア１１１〜１１３にはディスク情報が記録されており、内周側から５１０セクタ目のＭａｓｔｅｒ  ＴＯＣ  Ａｒｅａ１１３に記録されたディスク情報には、エリア１１４に記録された曲のそれぞれについてのジャンルを示すジャンル情報（Ｄｉｓｃ＿Ｉｎｆｏ内のＤｉｓｃ＿Ｇｅｎｒｅ）が含まれている。また、最も外周側に設けられた拡張用データエリア（規格書により『Ｅｘｔｒａ  Ｄａｔａ  Ａｒｅａ』として規定されたエリア）１１６には、静止画、等の画像を示すデータが記録可能となっている。
【００２３】
図１は、本発明に係るディスク再生装置の一実施形態の電気的構成を示すブロック線図であり、詳細には、ＤＶＤ、ＣＤ、ＶＣＤ、および、ＳＡＣＤの再生が可能な再生装置を示している。なお、以下における説明では、ＤＶＤ、ＣＤ、ＶＣＤ、および、ＳＡＣＤの４種のディスクについて、これら４種のディスクを区別する必要が無い場合には、単にディスクと称し、４種のディスクを区別する必要があるときには、ディスク１１の種類に従って、ＤＶＤ、ＣＤ、ＶＣＤ、または、ＳＡＣＤと称する。
【００２４】
図において、スピンドルモータ１２、ピックアップ１３、同期検出部１４、復調部１５、エラー訂正部１６、第１の音声信号処理部１７、および、ストリーム分離部１８からなるブロック１は、請求項記載の再生手段となっており、ＳＡＣＤ１１が再生位置に収納されると、ＳＡＣＤ１１に記録されたディスク情報を読み取ってジャンル表示手段１９に出力する。また、ＳＡＣＤ１１を再生して得られた音声信号をスイッチ８に出力する。また、ＳＡＣＤ１１の拡張用データエリア１１６に画像データが記録されているときには、拡張用データエリア１１６に記録された画像データを読み出して、映像伸長部５に出力する。
【００２５】
また、ディスク１１がＤＶＤであるときには、映像伸長部５に、再生して得られた映像信号（圧縮された映像信号）を出力し、再生して得られた音声信号（圧縮された音声信号）を第２の音声信号処理部６に出力する。また、ディスク１１がＣＤであるときには、再生して得られた音声信号（リニアＰＣＭ信号）を第２の音声信号処理部６に出力する。また、ディスク１１がＶＣＤであるときには、映像伸長部５に、再生して得られた映像信号（圧縮された映像信号）を出力し、再生して得られた音声信号を第２の音声信号処理部６に出力する。
【００２６】
詳細には、ピックアップ１３は、スピンドルモータ１２によって回転駆動されるディスク１１に記録されたデータを読み取るとともに、前記読み取りによって得られた信号を同期検出部１４に出力する。同期検出部１４は、ピックアップ１３より出力される信号からデジタルデータを取り出して復調部１５に出力する。復調部１５は、同期検出部１４から出力されるデジタルデータを所定処理することによって、符号化前のデータを復調する。エラー訂正部１６は、復調されたデータをエラー訂正してストリーム分離部１８に出力する。
【００２７】
第１の音声信号処理部１７は、ストリーム分離部１８から送出されるＤＳＤ（Ｄｉｒｅｃｔ  Ｓｔｒｅａｍ  Ｄｅｇｉｔａｌ）方式の音声信号をアナログ音声信号に変換し、スイッチ８に出力する。
【００２８】
ストリーム分離部１８は、再生されるディスク１１がＳＡＣＤであり、ピックアップ１３が音声信号の記録エリアを読み取るときでは、エラー訂正部１６から出力されるデータ（ＤＳＤ方式の音声信号）を第１の音声信号処理部１７に出力する。また、ＳＡＣＤ１１の拡張用データエリア１１６に画像データが記録されており、ピックアップ１３が拡張用データエリア１１６の読み取りを行うときでは、エラー訂正部１６から出力されるデータを映像伸長部５に出力する。また、ピックアップ１３が、ＳＡＣＤ１１のディスク情報、等を読み取るときでは、エラー訂正部１６から出力されるデータを制御手段２に出力する。
【００２９】
また、再生されるディスク１１がＤＶＤであるときには、エラー訂正部１６から出力されるデータストリームのうち、ビデオストリームを映像伸長部５に出力する。また、オーディオストリームを第２の音声信号処理部６に出力する（サブピクチャストリームについては図示を省略）。また、ピックアップ１３が、ＤＶＤ１１のディスク情報、等を読み取るときでは、エラー訂正部１６から出力されるデータを制御手段２に出力する。
【００３０】
また、再生されるディスク１１がＣＤであるときには、エラー訂正部１６から出力されるデータを第２の音声信号処理部６に出力する。また、ピックアップ１３が、ＣＤ１１のディスク情報、等を読み取るときでは、エラー訂正部１６から出力されるデータを制御手段２に出力する。
【００３１】
また、再生されるディスク１１がＶＣＤであるときには、エラー訂正部１６から出力されるデータのうち、映像を示すデータを映像伸長部５に出力する。また、音声を示すデータを第２の音声信号処理部６に出力する。また、ピックアップ１３が、ＶＣＤ１１のディスク情報、等を読み取るときでは、エラー訂正部１６から出力されるデータを制御手段２に出力する。
【００３２】
第２の音声信号処理部６は、ディスク１１がＤＶＤであるときには、ストリーム分離部１８から出力されるオーディオストリームをＡＣ３方式でデコードした後、Ｄ／Ａ変換を行う。そして、Ｄ／Ａ変換により得られたアナログ音声信号をスイッチ８に出力する。また、ディスク１１がＣＤであるときには、ストリーム分離部１８から出力されるＰＣＭ方式のデジタル音声信号をアナログ音声信号に変換して、スイッチ８に出力する。また、ディスク１１がＶＣＤであるときには、ストリーム分離部１８から出力されるデータをアナログ音声信号に変換して、スイッチ８に出力する。
【００３３】
スイッチ８は、制御手段２からの指示に従い、ディスク１１がＳＡＣＤであるときには、第１の音声信号処理部１７から出力されるアナログ音声信号を外部に設けられたアンプ２１に出力する。また、ディスク１１がＤＶＤ、ＣＤ、あるいは、ＶＣＤであるときには、第２の音声信号処理部６より出力されるアナログ音声信号をアンプ２１に出力する（アンプ２１は、スイッチ８から出力されるアナログ音声信号を増幅して、スピーカ２２を駆動する）。
【００３４】
映像伸長部５は、ディスク１１がＳＡＣＤであるときには、ストリーム分離部１８から出力されるデータ（拡張用データエリア１１６に記録された画像データ）を、所定の方式（拡張用データエリア１１６に記録された画像データの圧縮方式に対応した伸長方式）で伸長した後、オンスクリーンディスプレイ部（以下では、ＯＳＤ部と称する）７に出力する。また、ディスク１１がＤＶＤであるときには、ストリーム分離部１８から出力されるビデオストリームをＭＰＥＧ２方式で伸長した後、ＯＳＤ部７に出力する。また、ディスク１１がＶＣＤであるときには、ストリーム分離部１８から出力されるデータを伸長して、ＯＳＤ部７に出力する。
【００３５】
ＯＳＤ部７は、制御手段２から指示された文字等を示す信号を生成して、映像伸長部５から出力される映像信号に重畳する。Ｄ／Ａ変換部９は、ＯＳＤ部７から出力されるデジタル映像信号をアナログ映像信号に変換して、装置本体２５の外部に設けられた表示装置であるテレビ受像機２３に出力する。
【００３６】
入力部４は、装置本体２５の前面パネルに設けられた電源キー等のキースイッチや、リモートコントローラ３から送信される赤外線信号を受光する受光ユニット等を備えており、ユーザからの指示が入力されると、入力された指示を制御手段２に送出する。
【００３７】
制御手段２は、マイクロコンピュータを主要部として構成されており、ディスク再生装置としての主要動作を制御する。すなわち、ディスク１１がＳＡＣＤであるときには、再生手段１の動作を制御するとともに、第１の音声信号処理部１７からの音声信号をスイッチ８から出力させることによって、ＳＡＣＤ１１を再生して得られた音声信号をアンプ２１に出力する。また、ディスク１１がＣＤであるときには、再生手段１（第１の音声信号処理部１７を除く）と第２の音声信号処理部６との動作を制御するとともに、第２の音声信号処理部６からの音声信号をスイッチ８から出力させることにより、ＣＤ１１を再生して得られた音声信号をアンプ２１に出力する。
【００３８】
また、ディスク１１がＤＶＤあるいはＶＣＤであるときには、再生手段１（第１の音声信号処理部１７を除く）と、第２の音声信号処理部６と映像伸長部５との動作を制御するとともに、第２の音声信号処理部６からの音声信号をスイッチ８から出力させることによって、ＤＶＤ１１あるいはＶＣＤ１１を再生して得られた映像信号をテレビ受像機２３に出力し、ＤＶＤ１１あるいはＶＣＤ１１を再生して得られた音声信号をアンプ２１に出力する。
【００３９】
ジャンル表示手段１９は、制御手段２を構成するマイクロコンピュータの機能の一部でもって構成されている。そして、ＳＡＣＤ１１が再生位置に収納されたことから、ＳＡＣＤ１１に記録されたディスク情報が読み取られ、読み取られたディスク情報が再生手段１から出力されると、ディスク情報に含まれるジャンル情報に基づき、ＳＡＣＤ１１に記録された曲のジャンルをテレビ受像機２３に、自動で表示する。
【００４０】
また、ジャンルをテレビ受像機２３に表示させる場合には、図３に示したように、ＳＡＣＤ１１に記録された曲（トラック番号によって区別されて表示される）のそれぞれ毎のジャンルを、トラック番号に対応付けて表示する（２２１により示す）。また、表示されたトラック番号のうちの１つをハイライト表示とする（２２２により示す）ことによって、選択されたトラック番号を示す（このとき、リモートコントローラ３等に再生の指示が入力されると、制御手段２は、再生手段１に、ハイライト表示されたトラック番号の曲から再生を開始させる）。
【００４１】
また、ジャンル表示手段１９は、ＳＡＣＤ１１の拡張用データエリア１１６に記録された画像データがストリーム分離部１８から映像伸長部５に出力されるときには、映像伸長部５から出力される画像を、ジャンルの表示における背景用画像として、テレビ受像機２３に表示する。
【００４２】
図４は、ＳＡＣＤに記録された曲のジャンルを表示装置に表示するときの実施形態の主要動作を示すフローチャートである。必要に応じて同図を参照しつつ、実施形態の動作を説明する。
【００４３】
取り出し位置に移動したトレイ（図示を省略）にディスク１１を載置した後、トレイを引き込ませることによって、ディスク１１を再生位置に収納する（ステップＳ１）と、制御手段２は、再生位置に収納されたディスク１１に記録されたディスク情報の読み取りを再生手段１に指示する。再生手段１は、制御手段２からの指示に従って、ディスク１１からディスク情報を読み取り、読み取ったディスク情報を制御手段２に出力する（ステップＳ２）。
【００４４】
ディスク情報にはディスク１１の種類を示す情報が含まれているので、制御手段２は、再生手段１が出力するディスク情報から、再生位置に収納されたディスク１１が、ＳＡＣＤであるのか、あるいは、その他のディスクであるのかを判定する。そして、再生位置に収納されたディスク１１がＳＡＣＤであることが判明した場合、拡張用データエリア１１６に画像データが記録されているかどうかを調べる（ステップＳ３，Ｓ４）。画像データが記録されているときには、再生手段１を用いて画像データを読み出し、読み出した画像データによる画像（例えば、静止画像）を、ジャンル表示における背景用の画像として、テレビ受像機２３に表示する（ステップＳ５，Ｓ６）。
【００４５】
上記した背景となる画像の表示と併せて、再生位置に収納されたディスク１１がＳＡＣＤであることを示すために、テレビ受像機２３の画面の左側上部に、『ＳＡＣＤ』（２２３により示す）の文字表示を行う（ステップＳ８）。また、曲（トラックの番号として示される）毎のジャンル（２２１により示す）を、トラック番号に対応付けて表示する（ステップＳ９）。このとき、曲のそれぞれについての長さも併せて表示する（２２４により示す）。また、選択されたトラック番号（最初はトラック１番の曲が選択される）をハイライト表示する（２２２により示す）（ステップＳ１０）。
【００４６】
そして後、選択する曲（トラック番号）を変更する操作が入力されたかどうか（ステップＳ１１）と、再生の指示が入力されたかどうか（ステップＳ１２）とを調べるループ動作に移行する。このループ動作において、選択する曲を変更する操作（上下方向キーの操作）が入力されたときには、入力された操作に対応して、ハイライト表示する曲（トラック番号）を変更する（ステップＳ１１、Ｓ１０）。また、再生の指示が入力されたときには、再生手段１を用いて、ハイライト表示されたトラック番号の曲からの再生を開始する。且つ、再生位置を示す時刻情報（２２５により示す）を表示する（ステップＳ１２，Ｓ１３）。
【００４７】
なお、上記したステップＳ４の動作において、画像データが記録されていないことが判明したときには、動作は、ステップＳ５からステップＳ８に移行し、背景となる画像を表示することなく（例えば、ブルーバック表示とする）、２２３により示す『ＳＡＣＤ』の文字表示を行う。また、曲毎のジャンルを表示する（ステップＳ９）。
【００４８】
また、上記したステップＳ３の判定において、ディスク１１がＳＡＣＤでないことが判明したときには、動作は、ステップＳ３からステップＳ１４に移行し、このときのディスク１１の種類に対応した処理が実行される。すなわち、ディスク１１がＤＶＤであるときには、メニュー画面の表示のための動作、等が開始される。また、ディスク１１がＣＤであるときには、『ＣＤ』の文字表示や、トラック数の表示、等が行われる。また、ディスク１１がＶＣＤであるときには、ＶＣＤに対応した動作が実行される。
【００４９】
なお、本発明は上記実施形態に限定されず、表示装置については、外部に設けたテレビ受像機２３とした場合について説明したが、装置本体に複数行の文字表示が可能な表示装置を設け、この表示装置にジャンルを表示する構成とすることができる。
【００５０】
また、拡張用データエリア１１６に記録される画像データについては、静止画である場合について説明したが、動画となるときにも、同様に適用することができる。すなわち、ジャンルを示す文字表示の背景として、拡張用データエリア１１６に記録された動画を表示させるようにすることもできる。
【００５１】
また、再生が可能なディスクを、ＳＡＣＤとＣＤとのみに限定した構成とすることもできる（このときでは、映像信号の処理回路が不要となるので、構成が簡単化される）。
【００５２】
以下に補足的な説明を行うと、ＭＰ３方式でディスクに曲を記録するときでは、記録された曲のそれぞれのジャンルを示す情報も、併せて記録することができる。しかし、この場合では、ジャンルを示す情報は、曲のデータの先頭部分に記録される。このため、ディスクに記録された曲のジャンルを一覧表示させようとする場合には、各曲のデータの先頭部分を読み取る必要があるため、ジャンルの一覧が表示されるまでには時間を要することになる。しかし、ＳＡＣＤ１１においては、全ての曲（トラック）のジャンルを示す情報を、ディスクの内周側に記録されたディスク情報から得ることができる。このため、ＳＡＣＤ１１を対象として、曲のジャンルの一覧表示を行う場合では、ディスクを再生位置に収納した後、ディスク判別に要する期間と略等しい期間のうちに、記録された全ての曲についてのジャンルの一覧を表示することができる、という特有の効果が得られることになる。
【図面の簡単な説明】
【００５３】
【図１】本発明に係るディスク再生装置の一実施形態の電気的構成を示すブロック線図である。
【図２】ＳＡＣＤの記録エリアを示す説明図である。
【図３】ジャンル情報が表示されたテレビ受像機の画面を示す説明図である。
【図４】ＳＡＣＤに記録された曲のジャンルを表示装置に表示するときの実施形態の主要動作を示すフローチャートである。
【符号の説明】
【００５４】
１  再生手段
１１  ＳＡＣＤ（またはＤＶＤまたはＣＤまたはＶＣＤ）
１９  ジャンル表示手段
２３  テレビ受像機（表示装置）
１１６  拡張用データエリア
２２１  表示されたジャンル
２２２  ハイライト表示されたトラック番号
【図１】
0004341481.tif 000002
【図２】
0004341481.tif 000003
【図３】
0004341481.tif 000004
【図４】
0004341481.tif 000005